(57)【要約】【課題】枕として用いるものであって、基板部２と基板部２上に長手方向を使用時の人の丈方向と直角方向にして列設された複数の長尺部３ａ〜３ｉを備える指圧効果用用具において、更に長い時間使用が可能で、かつ、効率的に刺激することができるものを提供する。【解決手段】この指圧効果用用具は、基板部２が水平面に対して角度θを有するように、その頭頂側を支持する支持部４を備え、最も頭頂側の長尺部３ｉが他の長尺部３ａ〜３ｈよりも水平面を基準として高く、長尺部３ａ〜３ｈがその上面を連ねると人の丈方向に基板部２に対して略山形の形状をなす。【選択図】図１
0003140276.tif 000002
【実用新案登録請求の範囲】
【請求項１】
枕として用いるものであって、平板状の基板部と、該基板部上に長手方向を使用時の人の丈方向と直角方向にして列設された複数の長尺部と、を備える指圧効果用用具において、
前記基板部の上面が水平面に対して角度を有することを特徴とする指圧効果用用具。
【請求項２】
請求項１に記載の指圧効果用用具において、
前記複数の長尺部のうち少なくとも最も頭頂側以外の長尺部は、その上面を連ねると人の丈方向に前記基板部に対して略山形の形状をなすことを特徴とする指圧効果用用具。
【請求項３】
請求項１又は２に記載の指圧効果用用具において、
前記複数の長尺部のうち最も頭頂側の長尺部は、他の長尺部よりも水平面を基準として高いことを特徴とする指圧効果用用具。
【請求項４】
請求項１乃至３のいずれかに記載の指圧効果用用具において、
前記複数の長尺部に支承される平板状の第２の基板部、隣設の前記長尺部の隙間に差し込まれる挿入板、前記第２の基板部上に長手方向を前記長尺部の長手方向と平行にして列設された複数の第２の長尺部、を有する着脱指圧部材を更に備えることを特徴とする指圧効果用用具。
【請求項５】
請求項４に記載の指圧効果用用具において、
前記着脱指圧部材は、第２の基板部の下面の頭頂側と首側に弾性部を更に有することを特徴とする指圧効果用用具。
【考案の詳細な説明】
【技術分野】
【０００１】
本考案は人体を指圧するように刺激し、血行を良くして体の調子を良くする、指圧効果用用具に関する。
【背景技術】
【０００２】
人体を指圧するように刺激し、血行を良くして体の調子を良くする指圧効果用用具に関し、本願考案者は、特許文献１、２において、枕として用いるものであって、基板部とその基板部上に長手方向を使用時の人の丈方向と直角方向にして列設された複数の長尺部を備える指圧効果用用具を提案している。
【０００３】
これらの枕として用いる指圧効果用用具は、就寝時に無意識に、後頭部及び首部を人の丈方向と直角方向に線状に複数の間隔をおいて刺激し、血行を良くして体の調子を良くする。
【０００４】
【特許文献１】特開２００３−１５９３０７号公報
【特許文献２】特開２００５−７１４２号公報
【考案の開示】
【考案が解決しようとする課題】
【０００５】
しかしながら、指圧効果用用具は、少しでも体の調子を更に良くするのであれば、改良を加えて行くのが常である。本願考案者は、特許文献１、２に提案のものに続いて、体の調子を更に良くすることができる指圧効果用用具を研究した。
【０００６】
本考案は係る事由に鑑みてなされたものであり、その目的は、枕として用いるものであって、基板部とその基板部上に長手方向を使用時の人の丈方向と直角方向にして列設された複数の長尺部を備える指圧効果用用具において、更に長い時間使用が可能で、かつ、効率的に刺激することができる指圧効果用用具を提供することにある。
【課題を解決するための手段】
【０００７】
上記目的を達成するために、請求項１に記載の指圧効果用用具は、枕として用いるものであって、平板状の基板部と、該基板部上に長手方向を使用時の人の丈方向と直角方向にして列設された複数の長尺部と、を備える指圧効果用用具において、前記基板部の上面が水平面に対して角度を有することを特徴とする。
【０００８】
請求項２に記載の指圧効果用用具は、請求項１に記載の指圧効果用用具において、前記複数の長尺部のうち少なくとも最も頭頂側以外の長尺部は、その上面を連ねると人の丈方向に前記基板部に対して略山形の形状をなすことを特徴とする。
【０００９】
請求項３に記載の指圧効果用用具は、請求項１又は２に記載の指圧効果用用具において、前記複数の長尺部のうち最も頭頂側の長尺部は、他の長尺部よりも水平面を基準として高いことを特徴とする。
【００１０】
請求項４に記載の指圧効果用用具は、請求項１乃至３のいずれかに記載の指圧効果用用具において、前記複数の長尺部に支承される平板状の第２の基板部、隣設の前記長尺部の隙間に差し込まれる挿入板、前記第２の基板部上に長手方向を前記長尺部の長手方向と平行にして列設された複数の第２の長尺部、を有する着脱指圧部材を更に備えることを特徴とする。
【００１１】
請求項５に記載の指圧効果用用具は、請求項４に記載の指圧効果用用具において、前記着脱指圧部材は、第２の基板部の下面の頭頂側と首側に弾性部を更に有することを特徴とする。
【考案の効果】
【００１２】
本考案の指圧効果用用具によれば、複数の長尺部が列設された基板部の上面が角度を有するので、就寝時に、首部から後頭部にかけての部位が自然に上昇し、人体の各部に負担がかからなく長い時間無理なく使用でき、また、首部から後頭部にかけて皮膚及び筋肉を略垂直に線状に複数の間隔をおいて刺激するため、刺激が効率的である。それにより、血行を良くして、疲労回復、鼻づまりの緩和、肩痛の緩和、歯茎の健常化、就寝中の足温上昇などに寄与する。
【考案を実施するための最良の形態】
【００１３】
以下、本考案を実施するための最良の形態を図面を参照しながら説明する。図１は本考案の実施形態に係る指圧効果用用具１を左斜め上から見た斜視図である。また、図２（ａ）は指圧効果用用具１の左側面図であり、図２（ｂ）は、指圧効果用用具１の使用状態を示す左側面図である。
【００１４】
この指圧効果用用具１は、枕として用いるものであって、上面が平らな平板状の基板部２と、基板部２上に列設された複数の長尺部３ａ〜３ｉと、を備える。基板部２は高さが小さい直方体の形状であり、複数の長尺部３ａ〜３ｉは、基板部２の長辺方向に沿って設けられている。また、指圧効果用用具１は、基板部２の短辺が水平面（指圧効果用用具１の最下部が成す水平面）に対して角度θを有するように、基板部２の一方の長辺側を支持する支持部４を更に備える。指圧効果用用具１の使用状態は、長尺部３ａ〜３ｉの長手方向が人の丈方向と直角な方向に向くようにし、かつ、支持部４が頭頂側になるような状態である。
【００１５】
長尺部３ａ〜３ｉは個々に高さＨが異なり、最も頭頂側以外の長尺部３ａ〜３ｈは、その上面を連ねると人の丈方向に前記基板部２に対しては略山形の形状をなすようにしている。それにより、人の首から後頭部にかけて刺激が極端に小さい部分をなくすようにしている。また、最も頭頂側の長尺部３ｉは、頭部の全体的な刺激のために頭頂近傍を刺激するものであり、他の長尺部３ａ〜３ｈよりも水平面を基準として高くなっている。また、長尺部３ａ〜３ｉの各々の上端の角部は面取りされ、角部において集中的な刺激がないようにしている。
【００１６】
長尺部３ａ〜３ｉの個々の幅Ｗと長尺部３ａ〜３ｉの個々の間の隙間の幅Ｐは、刺激の程度を考慮して決められる。すなわち、幅Ｗが小さく幅Ｐが大きいと刺激が大きくなり、幅Ｗが大きく幅Ｐが小さいと刺激が小さくなる。
【００１７】
具体的には、本願考案者の実験によれば、基板部２の水平面に対する角度θは７〜１３°（例えば９°）、長尺部３ａ〜３ｉの幅Ｗは１２〜１８ｍｍ（例えば１５ｍｍ）、幅Ｐは３〜１５ｍｍ（例えば６〜８ｍｍ）とするのがよい。基板部２の高さは１２〜２５ｍｍ（例えば１５ｍｍ）、基板部２の短辺の長さは１６〜２４ｃｍ（例えば１９．５ｃｍ）、基板部２の長辺の長さは４０〜５０ｃｍ（例えば４５ｃｍ）とするのがよい。長尺部３ａ〜３ｉの高さＨは、長尺部３ｃを略山形の頂部分として３０〜５０ｍｍ（例えば４０ｍｍ）とし、長尺部３ｃから首側の向きの長尺部３ｂ、３ａを徐々に３．０〜６．０ｍｍ（例えば４．０ｍｍ）ずつ減じ、長尺部３ｃから頭頂側の向きの長尺部３ｄを３．０〜６．０ｍｍ（例えば４．０ｍｍ）減じ、更に長尺部３ｅ、３ｆ、３ｇ、３ｈを徐々に２．０〜３．０ｍｍ（例えば２．５ｍｍ）ずつ減じる。長尺部３ｉは２５〜８０ｍｍ（例えば６０ｍｍ）とするのがよい。基板部２の高さを１５ｍｍ、基板部２の水平面に対する角度θを９°としたときの長尺部３ａ〜３ｉの高さＨの値は、例えば、３ａが３３ｍｍ、３ｂが３６．５ｍｍ、３ｃが４０ｍｍ、３ｄが３６．５ｍｍ、３ｅが３４．５ｍｍ、３ｆが３２．５ｍｍ、３ｇが３０．５ｍｍ、３ｈが２８．５ｍｍ、３ｉが６０ｍｍである。そうすると、水平面から長尺部３ａ〜３ｉの上端までの高さは、３ａが約５０ｍｍ、３ｂが約５７ｍｍ、３ｃが約６５ｍｍ、３ｄが約６５ｍｍ、３ｅが約６７ｍｍ、３ｆが約６９ｍｍ、３ｇが約６９ｍｍ、３ｈが約６９ｍｍ、３ｉが約１０８ｍｍとなる。支持部４の基板部２の短辺方向の長さは沈み込みを防ぐために３０ｍｍ以上がよい。支持部４の高さは所望の角度θを得るような値とし、例えば、基板部の短辺の長さを１９．５ｃｍとし支持部４の高さを３．２ｃｍとすることで、角度θは９°となる。
【００１８】
基板部２、長尺部３ａ〜３ｉ、支持部４は、木材、樹脂等の硬質の材料から形成される。木材を材料とした場合、釘、ネジ等の締結部材を用いて組み立てることになる。木材としてヒノキを用いるのが望ましく、芳香を放って睡眠時の精神安定効果を奏し、防虫、抗菌、除湿効果もある。また、森林資源の有効利用のために、間伐材を用いることもできる。この場合、最も広い面積を有する基板部２の長辺を分割して小面積のものとし、長尺部３ａ〜３ｉ及び支持部４に締結固定すれば、間伐材を利用し易くなる。また、間伐材は若干利用し難くなるが、図３（ａ）に示すように、基板部２を側面視略三角形状に変形して支持部４を省くことも可能である。
【００１９】
また、基板部２、長尺部３ａ〜３ｉ、支持部４は、樹脂により一体成型することも可能である。図３（ａ）や後述の図３（ｂ）〜（ｇ）についても同様である。
【００２０】
この指圧効果用用具１が使用されると、基板部２の水平面に対する角度θにより、人の首部から後頭部にかけての部位が全体的に自然に上昇する。それにより、首部の負担が少なくなるとともに、長尺部３ａ〜３ｈにおける略山形の頂付近の刺激が減じられ、最も頭頂側の長尺部３ｉの刺激が増すようになって均衡の取れた刺激となる。また、長尺部３ａ〜３ｉが手前に傾いているので首部から後頭部にかけての皮膚及び筋肉に略垂直に当たることができ、人の丈方向と直角な方向に線状に複数の間隔をおいて刺激するので、刺激が効率的である。また、基板部２の水平面に対する角度θにより、人が横向きになった場合でも首部の負担が少なく、耳の下側近傍を効率的に刺激することができる。なお、基板部２の長辺方向の長さは、左右どちらに横向きになっても指圧効果用用具１を置きなおして位置を調整するようなことをしなくてもよい長さとしている。
【００２１】
また、最も首側の長尺部３ａが手前に傾いていることは、肩の一部が入り込めるスペースを広くすることになり、肩の自然な動きを制限して肩に負担がかかるようなことを防止する。
【００２２】
このようにして、就寝時に人体の各部に負担がかからないようにして長い時間無理なく使用できるようにしつつ、首部から後頭部にかけて皮膚及び筋肉を効率的に刺激し、血行を良くして、疲労回復、鼻づまりの緩和、肩痛の緩和、歯茎の健常化、就寝中の足温上昇などに寄与する。
【００２３】
各人の好みに応じた強さの刺激とするために、図２（ｂ）に示すように、別体の薄く柔軟な緩衝部材５を指圧効果用用具１に覆って使用するのが望ましい。緩衝部材５は、適度な大きさの例えばタオル地のものであり、好みに応じて一重で使用したり、二重、三重に折りたたんで厚めにして使用されたりする。この場合、長尺部３ａ〜３ｉのそれぞれの隙間に緩衝部材５が入り込むので、刺激を弱めつつも、皮膚及び筋肉の直線状の刺激は維持される。なお、人がうつ伏せになり、最も頭頂側の長尺部３ｉにひたいを載せ、長尺部３ａ〜３ｈの略山形の頂部分（長尺部３ｃ）付近にあごを載せて刺激するような使用方法も可能であるが、この場合は、緩衝部材５を通常よりも厚めにするのがよい。
【００２４】
本実施形態では長尺部３ａ〜３ｉの本数は９本であるが、本数の増減は任意に変更できる。また、図３（ｂ）に示す長尺部３ｇ、３ｇ’と３ｈ、３ｈ’のように、長尺部３ａ〜３ｉの幾つかを合わせ板からなるようにしたり、或いは幾つかの一枚板の上面を加工したりして段差を設けることもできる。また、元々の血流が比較的良い人用には、刺激を余り強くしないために、長尺部３ａ〜３ｈの高さを揃えたり、頭頂近傍を刺激する長尺部３ｉを省いたりする場合もある。
【００２５】
取り付け取り外し自在な補助長尺部材３ｊを設け、頭の小さい人も最も頭頂側の長尺部３ｉの効果を得やすいように、図３（ｃ）に示すように、補助長尺部材３ｊを長尺部３ｉの手前に取り付けることもできる。補助長尺部材３ｊの取り付けは、長尺部３ｉと一緒にゴムバンドで巻いたりすることで行うことができる。補助長尺部材３ｊの幅は、１０〜３０ｍｍ（例えば２０ｍｍ）とするのがよい。補助長尺部材３ｊの高さは、長尺部３ｈの上に載せたときに、補助長尺部材３ｊの上端が長尺部３ｉの上端と同程度でも構わないが、３〜１５ｍｍ（例えば１０ｍｍ）だけ低くなるようにすれば刺激が多くなって良い。
【００２６】
長尺部３ａ〜３ｉが、受ける大きな斜めの圧力により変形しないように圧力を分散させるため、図３（ｄ）、（ｅ）に示すように、長尺部３ａ〜３ｉの個々の間の隙間に補強長尺部材３ａｓ〜３ｈｓを差し込むこともできる。図３（ｄ）の補強長尺部材３ａｓ〜３ｈｓは、それらの高さを揃えたものである。図３（ｅ）の補強長尺部材３ａｓ〜３ｈｓは、差し込んだときに隣接する長尺部３ａ〜３ｈの低い方の上面から一定距離（例えば、約１０ｍｍ）低くなるように、高さをそれぞれ変えたものである。
【００２７】
長尺部３ａ〜３ｉは、人の一般的な好みに合わせて様々に変形が可能である。例えば、刺激を適度に減じておくため、図３（ｆ）の部分拡大図に示すように、最も頭頂側以外の長尺部３ａ〜３ｈの全部又は一部の上部を下から弾性部３１、薄板３２をこの順に積層したものとすることもできる。例えば、弾性部３１は厚さが１５〜２５ｍｍ（例えば２０ｍｍ）の発泡樹脂製であり、薄板３２は厚さが１．５〜１０ｍｍ（例えば５ｍｍ）である。また、図３（ｇ）の部分拡大図に示すように、最も頭頂側以外の長尺部３ａ〜３ｈの全部又は一部の上部を下から弾性部３１’、薄板３２’、弾性部３３’をこの順に積層したものとすることもできる。更に、図３（ｈ）の部分拡大図に示すように、その上に薄板３４’を積層することもできる。例えば、弾性部３１’、３３’は厚さが５〜１５ｍｍ（例えば１０ｍｍ）の発泡樹脂製であり、薄板３２’は１〜２ｍｍ（例えば１．５ｍｍ）、薄板３４’は１．５〜１０ｍｍ（例えば５ｍｍ）である。
【００２８】
次に、指圧効果用用具１と組み合わせて使用する着脱指圧部材６について説明する。図４は指圧効果用用具１と着脱指圧部材６が組み合わされた指圧効果用用具１’の斜視図である。また、図５（ａ）は着脱指圧部材６の左側面図であり、図５（ｂ）は指圧効果用用具１’の使用状態を示す左側面図である。
【００２９】
この着脱指圧部材６は、指圧効果用用具１の上方に配置して使用されるものであって、上面が平らな平板状の第２の基板部７と、第２の基板部７上に列設された複数の第２の長尺部８ａ〜８ｆと、第２の基板部７又は最も頭頂側の第２の長尺部８ｆに固定される挿入板９（例えば、硬質樹脂製）と、を有する。また、第２の基板部７の下面の頭頂側と首側に２個の平らな弾性部（頭頂側弾性部、首側弾性部）１０Ａ、１０Ｂ（例えば、発泡樹脂製）を有する。複数の第２の長尺部８ａ〜８ｆは、第２の基板部７の長辺方向に沿って設けられている。
【００３０】
着脱指圧部材６は、挿入板９が指圧効果用用具１の隣設の長尺部３ａ〜３ｉの隙間に差し込まれ、第２の基板部７は弾性部１０Ａ、１０Ｂを介して指圧効果用用具１の長尺部３ａ〜３ｉに支承され、複数の第２の長尺部８ａ〜８ｆは長手方向が指圧効果用用具１の長尺部３ａ〜３ｉの長手方向と平行になる。すなわち、指圧効果用用具１と組み合わせた着脱指圧部材６の使用状態は、第２の長尺部８ａ〜８ｆの上面の高さが全体的に高く、その長手方向が人の丈方向と直角な方向に向くようになる。
【００３１】
この着脱指圧部材６が指圧効果用用具１と組み合わせて使用されると、後頭部が全体的に持ち上げられることで、テレビ鑑賞等を楽しみながら指圧効果を得ることができる。
【００３２】
第２の基板部７、第２の長尺部８ａ〜８ｆ、挿入板９は、樹脂により一体成型することも可能である。第２の長尺部８ａ〜８ｆの上面を連ねた形状は略山形でも構わないが、指圧効果用用具１と組み合わせた使用時には後頭部が持ち上げられることから、高さをほぼ揃えて刺激を抑えた方が望ましい。高さをほぼ揃えた場合、最も首側の第２の長尺部８ａをその他の第２の長尺部８ｂ〜８ｆよりも若干低くするか、或いは最も首側の第２の長尺部８ａを弾性部材（例えば、発泡樹脂製）とするのが更に望ましい。また、本実施形態では、指圧効果用用具１の長尺部３ｉに相当する第２の長尺部は省いたものとしている。その他、第２の長尺部８ａ〜８ｆの形状や構造については指圧効果用用具１の長尺部３ａ〜３ｉと同様である。刺激を適度に減ずるために、第２の長尺部８ａ〜８ｆの上部を、弾性部、薄板を適宜に組み合わせて構成できることも長尺部３ａ〜３ｉと同様である。
【００３３】
第２の基板部７の下面の頭頂側弾性部１０Ａと首側弾性部１０Ｂは、水平面に対する角度として上記の角度θ程度を確保するように、頭頂側弾性部１０Ａは首側弾性部１０Ｂよりも厚くなっている。頭頂側弾性部１０Ａと首側弾性部１０Ｂは、その間に長尺部３ａ〜３ｈの略山形の頂部分（長尺部３ｃ）が位置するときにそれが第２の基板部７に接触しないような厚みにすることで、第２の基板部７が不自然な角度になるのを防止することもできる。なお、例えば、水平面から着脱指圧部材６の第２の長尺部８ｆの上端までの高さは１１．０ｃｍ程度、第２の長尺部８ａの上端までの高さは８．５ｃｍ程度である。
【００３４】
以上、本考案の実施形態に係る指圧効果用用具について説明したが、本考案は、実施形態に記載したものに限られることなく、実用新案登録請求の範囲に記載した事項の範囲内でのさまざまな設計変更が可能である。例えば、支持部４の底面に滑り止めをつけることなどが可能である。
【図面の簡単な説明】
【００３５】
【図１】本考案の実施形態に係る指圧効果用用具の斜視図である。
【図２】同上の指圧効果用用具の左側面図とその使用状態を示す左側面図である。
【図３】同上の指圧効果用用具の変形例を示す左側面図である。
【図４】本考案の実施形態に係る他の指圧効果用用具の斜視図である。
【図５】同上の指圧効果用用具の着脱指圧部材の左側面図と指圧効果用用具の使用状態を示す左側面図である。
【符号の説明】
【００３６】
１、１’  指圧効果用用具
２  基板部
３  長尺部
４  支持部
５  緩衝部材
６  着脱指圧部材
７  第２の基板部
８  第２の長尺部
９  挿入板
１０Ａ  頭頂側弾性部
１０Ｂ  首側弾性部
【図１】
0003140276.tif 000003
【図２】
0003140276.tif 000004
【図３】
0003140276.tif 000005
【図４】
0003140276.tif 000006
【図５】
0003140276.tif 000007